(57)【要約】【課題】  内針と、内針ハブと、外針と、外針ハブと、収納筒と、付勢手段とを備えた収納筒付留置針であって、収納筒に係合段部を形成し、内針ハブに張出部を形成し、係合段部と張出部との係合により、内針を露出させた状態に保持すると共に、収納筒にスリットを形成し、スリットを通して露出する操作部を有するカム機構を設け、操作部の操作により内針ハブを回転させ、係合段部と張出部との係合を解除して付勢手段により内針を収納するものにおいて、スリットの全長を短くすることができ、且つ、使い勝手の良くする。【解決手段】  カム機構を、収納筒に係合段部より前側の部分において摺動自在に内挿され、外側面に操作部が形成されたスライダと、スライダの内側面に形成された係合子と、内針ハブの外周面に係合子が前方から当接するように形成された前後方向に対し周方向に傾斜してのびるカム部とで構成する。【選択図】  図１
2006288449.tif 000002
【特許請求の範囲】
【請求項１】
前端に刃先を有する内針と、内針の後端に連設された内針ハブと、内針を摺動自在に挿通する中空の外針と、外針の後端に連設された外針ハブと、内針ハブを摺動自在に内挿すると共に内針を収納可能な筒状の収納筒と、収納筒内に設けられ、内針ハブを後方に付勢する付勢手段とを備えた収納筒付留置針であって、
収納筒の内周面の周方向一部に径方向内方に張り出す係合段部を形成し、内針ハブの外周面の周方向一部に径方向外方に張り出して係合段部の前端面に係合する張出部を形成し、係合段部と張出部との係合により、内針を収納筒の前方に露出させた状態に保持すると共に、収納筒の周壁に前後方向に長手のスリットを形成し、スリットを通して収納筒の外部に露出する操作部を有するカム機構を設け、操作部の操作によりカム機構を介して内針ハブを回転させ、係合段部と張出部との係合を解除して付勢手段の付勢力により内針を収納筒内に収納するものにおいて、
前記カム機構は、収納筒に係合段部より前側の部分において摺動自在に内挿され、外側面に前記操作部が形成されたスライダと、スライダの内側面に径方向内方に突出するように形成された係合子と、内針ハブの外周面に係合子が前方から当接するように形成された前後方向に対し周方向に傾斜してのびるカム部とで構成されることを特徴とする収納筒付留置針。
【請求項２】
前記カム部の前端部には、前後方向に真直なストレート部が形成され、このストレート部に対し周方向に間隔を存して対向する突条から成るストッパ部が内針ハブの外周面に形成され、
前記係合子は、前記係合段部と前記張出部とが係合する状態である時に、ストレート部とストッパ部との間に位置していることを特徴とする請求項１記載の収納筒付留置針。
【請求項３】
前記スライダは環状に形成され、
前記内針ハブの後端部にフランジ部が形成され、前記張出部はフランジ部の外周に形成され、
前記付勢手段は、圧縮コイルばねであり、スライダとフランジ部との間に縮設されていることを特徴とする請求項１又は２記載の収納筒付留置針。
【発明の詳細な説明】
【技術分野】
【０００１】
本発明は、内針と、内針を挿通する中空の外針と、内針を外針から引抜いて収納可能な収納筒とを備える収納筒付留置針に関する。
【背景技術】
【０００２】
従来、この種の収納筒付留置針として、前端に刃先を有する内針と、内針の後端に連設された内針ハブと、内針を摺動自在に挿通する中空の外針と、外針の後端に連設された外針ハブと、内針ハブを摺動自在に内挿すると共に内針を収納可能な筒状の収納筒と、内針ハブを収納筒の後方に付勢する付勢手段と、付勢手段の付勢力に抗して内針を収納筒の前方に露出させた状態に保持する保持手段と、保持手段による保持を解除し、内針を収納筒内に収納する収納手段とを備える収納筒付留置針が知られている（例えば、特許文献１参照。）。
【０００３】
上記特許文献１に記載のものでは、保持手段として、収納筒の内周面の周方向２箇所に径方向内方に張り出す係合段部が形成されると共に、内針ハブの外周面の周方向２箇所に径方向外方に張り出して係合段部の前端面に係合する張出部が形成され、係合段部と張出部との係合により、内針が収納筒の前方に露出した状態に保持されるようにしている。又、このものでは、収納手段として、収納筒の周壁に前後方向に長手のスリットを形成すると共に、スリットを通して収納筒の外部に露出する操作部を有するカム機構を設け、操作部の操作によりカム機構を介して内針ハブを回転させ、係合段部と張出部との係合を解除して付勢手段の付勢力により内針が収納筒内に収納されるようにしている。
【０００４】
ここで、カム機構は、収納筒に係合段部より後側の部分において摺動自在に内挿され、外側面に前記操作部が形成されたスライダと、スライダから前方に向かってのびる一対の作動ピンと、内針ハブの後端部に作動ピンが後方から当接するように形成された、前後方向に対し周方向に傾斜してのびるカム部とで構成されている。そして、操作部を前方に移動させることにより、スライダと共に前方に移動する作動ピンがカム部に当接し、操作部による前方への押し力が内針ハブの回転力に変換されて収納筒内で内針ハブが回転し、これにより係合段部と張出部との係合が解除され、内針ハブが圧縮コイルばね等の付勢手段により収納筒の後方に移動して内針が収納筒に収納される。
【０００５】
以上のように構成された収納筒付留置針によれば、内針を簡単に収納筒に収めることができ、内針を収納筒に収める際に誤って内針を手指等に刺してしまうことを防止することがきる。
【０００６】
しかしながら、この収納筒付留置針は、作動ピンが内針ハブのカム部に後方から当接するため、内針ハブが付勢手段の付勢力により後方に移動すると、作動ピンを介してスライダも共に後方に移動する。収納筒に内針を収納するため、内針ハブは少なくとも内針の全長分は後方に移動する。従って、スライダも少なくとも内針の全長分後方に移動する。このため、スライダの後方への移動を許容するように操作部が露出するスリットの全長を少なくとも内針の全長と同程度に長くすることが必要になる。しかしながら、スリットの全長を長くすると、内針を収納筒に収納した後、このスリットから内針に付着した血液等が流れ出す虞がある。
【０００７】
又、このものでは、スライダの配置位置の関係で操作部が収納筒の後部に配置されることになる。そのため、収納筒の前部を把持して穿刺した後、内針を収納する際に、収納筒を持ち替えて後部の操作部を操作することが必要になり、操作性が悪くなる。この場合、スライダに前方への延長部を形成して、操作部を収納筒の前部に配置することも考えられるが、上記構成の収納筒付留置針では、操作部の操作方向が前方であり穿刺方向と一致するため、穿刺する際に誤って操作部を操作して内針ハブを回転させてしまい、穿刺する前に内針を収納筒内に収納してしまう虞がある。このため、医療従事者は、穿刺する際に操作部を操作しないように慎重に作業を行う必要がある。
【特許文献１】特許第２６４７１３２号公報（第１０−１１頁、第１３図、第１３ａ図、第１３ｂ図）
【発明の開示】
【発明が解決しようとする課題】
【０００８】
本発明は、以上の点に鑑み、スリットの全長を短くすることができ、且つ、使い勝手の良い収納筒付留置針を提供することを目的とする。
【課題を解決するための手段】
【０００９】
上記目的を達成するため、本発明では、前端に刃先を有する内針と、内針の後端に連設された内針ハブと、内針を摺動自在に挿通する中空の外針と、外針の後端に連設された外針ハブと、内針ハブを摺動自在に内挿すると共に内針を収納可能な筒状の収納筒と、収納筒内に設けられ、内針ハブを後方に付勢する付勢手段とを備えた収納筒付留置針であって、収納筒の内周面の周方向一部に径方向内方に張り出す係合段部を形成し、内針ハブの外周面の周方向一部に径方向外方に張り出して係合段部の前端面に係合する張出部を形成し、係合段部と張出部との係合により、内針を収納筒の前方に露出させた状態に保持すると共に、収納筒の周壁に前後方向に長手のスリットを形成し、スリットを通して収納筒の外部に露出する操作部を有するカム機構を設け、操作部の操作によりカム機構を介して内針ハブを回転させ、係合段部と張出部との係合を解除して付勢手段の付勢力により内針を収納筒内に収納するものを以下の如く改良している。
【００１０】
即ち、本発明は、前記カム機構を、収納筒に係合段部より前側の部分において摺動自在に内挿され、外側面に前記操作部が形成されたスライダと、スライダの内側面に径方向内方に突出するように形成された係合子と、内針ハブの外周面に係合子が前方から当接するように形成された前後方向に対し周方向に傾斜してのびるカム部とで構成することを特徴とする。
【００１１】
かかる構成によれば、操作部をスリットに沿って後方に移動させると、スライダが後方に移動し、係合子がカム部に当接してこれを押す。これにより、スライダの後方への押し力が、内針ハブの回転力に変換され、係合段部と張出部との係合が解除される。よって、内針ハブは付勢手段の付勢力により収納筒の後方に移動し、内針が収納筒内に収納される。
【００１２】
又、本発明によれば、スライダの係合子が内針ハブのカム部に前方から当接するように構成されているため、カム部に対する係合子の前方への相対移動が許容され、内針ハブが付勢手段により収納筒の後方に移動しても、スライダは後方に移動しない。このため、スリットの全長を短くすることができ、内針を収納筒に収めた際に、スリットからの内針に付着した血液等の流出を抑えることができる。又、スライダが収納筒に係合段部より前側の部分において摺動自在に内挿されているため、スライダの外側面に形成された操作部が収納筒の前部に配置されることとなる。このため、収納筒の前部を把持して穿刺した後に、収納筒を持ち替えることなく操作部を操作して内針を収納筒内に収めることができる。又、操作部の操作方向は後方であり穿刺方向と逆であるため、穿刺の際に誤って操作部を操作してしまうことを防止することができ、使い勝手が良い。
【００１３】
ここで、収納筒付留置針においては、内針ハブの前端部は外針ハブと嵌合できるように収納筒の前端から露出させることが一般的である。このような構成の場合、収納筒付留置針を患者に穿刺する際に誤って外針ハブを介して内針ハブを回転させてしまうと、操作部を操作しなくとも係合段部と張出部との係合が解除され、内針が収納筒内に収納されてしまう。従って、医療従事者は外針ハブを介して内針ハブを回転させないように慎重に穿刺を行う必要がある。
【００１４】
この場合、カム部の前端部に、前後方向に真直なストレート部を形成し、このストレート部に対し周方向に間隔を存して対向する突条から成るストッパ部を内針ハブの外周面に形成して、係合子は、係合段部と張出部とが係合する状態である時に、ストレート部とストッパ部との間に位置するようにすれば、外針ハブを介して内針ハブに回転力が作用しても、ストレート部とストッパ部との間に挟まれる係合子で回転力が受けられるため、外針ハブを介して内針ハブが回転することを防止することができ、有利である。
【００１５】
又、スライダを環状に形成し、内針ハブの後端部にフランジ部を形成し、張出部はフランジ部の外周に形成され、付勢手段として、圧縮コイルばねを用い、スライダとフランジ部との間に縮設されるように構成すれば、操作部を操作してスライダを後方に移動させるためには、圧縮ばねの付勢力以上の力を必要とする。このため、医療従事者の意図しない操作部の操作を防止することができ、有利である。
【発明を実施するための最良の形態】
【００１６】
本発明の実施の形態を図１から図６を参照して説明する。図１は実施形態の収納筒付留置針の分解した状態を示す説明図、図２は実施形態の一部を断面で示した説明図、図３は操作部の操作を示した説明図、図４は内針ハブが回転した状態を示す説明図、図５は内針が収納筒内に収納された状態を示す説明図、図６は他の実施形態の内針ハブを示した説明図である。
【００１７】
本発明の実施形態の収納筒付留置針１は、図１、図２に示すように、前端に刃先２ａを有し後端に内針ハブ３が連設された内針２と、後端に外針ハブ４ａが連設された外針４と、内針２を収納する収納筒５とを備える。収納筒５は、筒本体５１と筒本体５１の前端部に結合されるキャップ５２とで構成される。筒本体５１の内周面には、径方向内方に張り出す周方向２箇所の係合段部５１ａ，５１ａが形成されている。キャップ５２の側壁には前後方向に長手のスリット５２ａが形成されている。又、キャップ５２の前端壁には、開口部５２ｂが開設されている。
【００１８】
外針４は中空に形成され、内針２を摺動自在に挿通する。内針ハブ３は収納筒５に摺動自在に内挿され、内針ハブ３の前端部３ａがキャップ５２の前方に開口部５２ｂを通して露出している。外針ハブ４ａは内針ハブ３の前端部３ａに外嵌される。内針ハブ３の後端にはフランジ部３ｂが形成されている。フランジ部３ｂの外周には径方向外方に張り出して筒本体５１の係合段部５１ａ，５１ａの前端面に係合する周方向２箇所の張出部３１，３１が形成されている。そして、各係合段部５１ａと各張出部３１との係合により、内針２が収納筒５の前方に露出した状態に保持されるようにしている。
【００１９】
収納筒５には、内針ハブ３を摺動自在に挿通する環状のスライダ６が、係合段部５１ａより前側の部分に摺動自在に内挿されている。スライダ６の外周面にはスリット５２ａを通して収納筒５の外部に露出するノブ状の操作部６１が形成されている。又、スライダ６の内周面には、径方向内方に向かって突出する周方向２箇所の係合子６２，６２が形成されている。内針ハブ３の外周面には、前後方向に対して周方向に傾斜してのびる突条から成るの周方向２箇所のカム部３２，３２が形成されており、各カム部３２に各係合子６２が前方から当接するようにしている。各カム部３２の前端部には前後方向に真直なストレート部３２ａが形成されている。又、内針ハブ３の外周面には、各ストレート部３２ａに対し周方向に間隔を存して対向する突条から成る各ストッパ部３３が形成されている。各係合子６２は、各係合段部５１ａと各張出部３１とが係合する状態である時、ストレート部３２ａとストッパ部３３との間に挟まれている。又、スライダ６とフランジ部３ｂとの間には、付勢手段としての圧縮コイルばね７が縮設されている。
【００２０】
実施形態の収納筒付留置針１を使用する際には、まず、患者に収納筒付留置針１を穿刺する。次に、外針４を患者に穿刺したまま、内針２だけを抜く。そして、図３の破線で示すように、操作部６１をスリット５２ａに沿って後方に移動させる。操作部６１は収納筒５の前部に設けられているため、医療従事者は収納筒５の前部を把持して穿刺した後に収納筒５を持ち替えることなく操作部６１を操作することができる。
【００２１】
操作部６１を後方に移動させると、スライダ６の各係合子６２が、各カム部３２のストレート部３２ａとストッパ部３３との間から離脱して、各カム部３２の傾斜した部分へ移動し、各係合子６２が各カム部３２を押圧して、操作部６１の後方への押し力が内針ハブ３の回転力に変換される。
【００２２】
内針ハブ３が回転すると、図４に示すように、各張出部３１と各係合段部５１ａとの係合が解除される。そして、内針２及び内針ハブ３は、図５に示すように、圧縮コイルばね７の付勢力により、収納筒５の後方に移動して収納される。その後、患者に穿刺したままの外針ハブ４ａに輸液チューブ（図示省略）を接続し、薬液を投入する。
【００２３】
実施形態の収納筒付留置針１によれば、各係合子６２は各カム部３２に前方から当接するように構成されているため、各カム部３２に対する各係合子６２の前方への相対移動が許容され、内針ハブ３が圧縮コイルばね７の付勢力により収納筒５の後方に移動しても、スライダ６は内針ハブ３と共に後方に移動しない。このため、従来品のように操作部６１を収納筒５の外部に露出するためのスリット５２ａの全長を長くする必要がなく、内針２を収納筒５に収めた際に、スリット５２ａからの内針２に付着した血液等の流出を抑えることができる。
【００２４】
又、各係合段部５１ａと各張出部３１とが係合している状態では、内針ハブ３の外周に形成された各カム部３２のストレート部３２ａとストッパ部３３との間にスライダ６の内側面に形成された各係合子６２が挟まれているため、操作部６１を後方に移動させて、各係合子６２をストレート部３２ａとストッパ部３３との間から離脱させないかぎり、内針ハブ３は収納筒５内で回転することができない。このため、医療従事者が収納筒付留置針１を患者に穿刺する際に誤って外針ハブ４ａに回転力を加えた場合であっても、外針ハブ４ａを介して内針ハブ３が回転することはなく、意図せずに各係合段部５１ａと各張出部３１との係合を解除して内針２を収納筒５へ収納することを防止できる。又、操作部６１の操作方向は後方であり穿刺方向と逆であるため、穿刺の際に誤って操作部６１を操作してしまうことを防止することができる。
【００２５】
ところで、各係合段部５１ａと各張出部３１との係合が解除され、圧縮コイルばね７の付勢力により内針ハブ３が収納筒５の後方に移動する際に、各ストッパ部３３の後端面に各係合子６２の前端面が接触して係合すると、内針ハブ３の収納筒５の後方への移動が妨げられる。そのため、各係合段部５１ａと各張出部３１との係合が解除される際には、各係合子６２が各ストッパ部３３から周方向に十分に離隔するように構成し、或いは、各ストッパ部３３の後端面を傾斜させ、又は各係合子６２の前端面を傾斜させて、各ストッパ部３３の後端面と各係合子６２の前端面とが接触しても両者が係合しないようにすることが望ましい。
【００２６】
尚、実施形態においては、各カム部３２を突条で形成しているが、これに限られず、例えば、図６に示すように、内針ハブ３の外周面に、周方向に幅広の窪み部３２ｂを形成し、この窪み部３２ｂの後端の段部でカム部３２を構成してもよい。この場合、窪み部３２ｂ内にストッパ部３３を突設する。
【図面の簡単な説明】
【００２７】
【図１】実施形態の収納筒付留置針の分解した状態を示す説明図。
【図２】実施形態の一部を断面で示した説明図。
【図３】操作部の操作を示した説明図。
【図４】内針ハブが回転した状態を示す説明図。
【図５】内針が収納筒内に収納された状態を示す説明図。
【図６】他の実施形態の内針ハブを示した説明図。
【符号の説明】
【００２８】
１…収納筒付留置針、  ２…内針、  ２ａ…刃先、  ３…内針ハブ、  ３ｂ…フランジ部、  ３１…張出部、  ３２…カム部、  ３２ａ…ストレート部、  ３３…ストッパ部、  ４…外針、  ４ａ…外針ハブ、  ５…収納筒、  ５１ａ…係合段部、  ５２ａ…スリット、  ６…スライダ、  ６１…操作部、  ６２…係合子、  ７…圧縮コイルばね。
【図１】
2006288449.tif 000003
【図２】
2006288449.tif 000004
【図３】
2006288449.tif 000005
【図４】
2006288449.tif 000006
【図５】
2006288449.tif 000007
【図６】
2006288449.tif 000008